(57)【要約】【課題】  ランプにより発生された電磁波の影響を排除した表示装置用バックライトアセンブリを提供する。【解決手段】  表示装置用バックライトアセンブリは光を発生する光源部２２１、光源部２２１から出射される光の光学的特性を調節するための光調節手段２２２及び、光源部２２１の駆動によって発生された電磁波を遮断して画像を形成する画像表示部に対する影響を防止するための電磁波遮蔽手段２２２ｆを含む。光調節手段は光源部２２１から出射された光を拡散するための剛的な材料の拡散板を備え、電磁波遮蔽手段は拡散手段の表面にメッシュ形状をなすように導電性物質で形成される。【選択図】  図８
2004191996.tif 000002
【特許請求の範囲】
【請求項１】
光を発生する光源部と、
前記光源部から出射される光の光学的特性を調節するための光調節手段と、
前記光源部の駆動により発生された電磁波を遮断して画像を形成する画像表示部に対する影響を防止するための電磁波遮蔽手段と、を含むことを特徴とする表示装置用バックライトアセンブリ。
【請求項２】
前記光調節手段は前記光源部の上方に位置して前記光源部で発生された光を拡散するための拡散手段及び前記拡散手段の上方に位置して前記拡散手段によって拡散された光の輝度を向上するための複数の光学シートを含むことを特徴とする請求項１記載の表示装置用バックライトアセンブリ。
【請求項３】
前記電磁波遮蔽手段は前記拡散手段の表面にメッシュ形状で形成された導電性物質であることを特徴とする請求項２記載の表示装置用バックライトアセンブリ。
【請求項４】
前記電磁波遮蔽手段は第１方向に形成された複数の第１遮蔽ライン及び前記第１方向とは相異する方向により形成され、前記第１遮蔽ラインと交差する複数の第２遮蔽ラインを含むことを特徴とする請求項３記載の表示装置用バックライトアセンブリ。
【請求項５】
前記複数の第１遮蔽ラインは互いに平行に形成され、前記遮蔽ラインの幅と前記幅を測定した遮蔽ラインと隣接する遮蔽ライン間の垂直距離の比率が１：７乃至１：２０であることを特徴とする請求項４記載の表示装置用バックライトアセンブリ。
【請求項６】
前記複数の第２遮蔽ラインは互いに平行に形成され、前記遮蔽ラインの幅と前記幅を測定した遮蔽ラインと隣接する遮蔽ライン間の垂直距離の比率が１：７乃至１：２０であることを特徴とする請求項５記載の表示装置用バックライトアセンブリ。
【請求項７】
前記第１遮蔽ライン及び第２遮蔽ラインは互いに直交することをを特徴とする請求項４記載の表示装置用バックライトアセンブリ。
【請求項８】
前記電磁波遮蔽手段を保護するための保護膜をさらに含むことを特徴とする請求項３記載の表示装置用バックライトアセンブリ。
【請求項９】
前記保護膜は透明有機物質であることを特徴とする請求項８記載の表示装置用バックライトアセンブリ。
【請求項１０】
前記導電性物質は銅、クロム、モリブデンタングステン、クロムオキシド、インジウムすず酸化物（ＩＴＯ）及びインジウム亜鉛酸化物（ＩＺＯ）のうちいずれか一つを含むことを特徴とする請求項３記載の表示装置用バックライトアセンブリ。
【請求項１１】
前記電磁波遮蔽手段は前記拡散手段の表面に形成された溝に挿入された導電性物質であることを特徴とする請求項２記載の表示装置用バックライトアセンブリ。
【請求項１２】
前記光調節手段は前記拡散手段と前記複数の光学シート間に位置して前記拡散手段により拡散された光を再度拡散するための補助拡散手段をさらに含むことを特徴とする請求項２記載の表示装置用バックライトアセンブリ。
【請求項１３】
前記電磁波遮蔽手段は前記補助拡散手段の表面に形成された導電性物質であることを特徴とする請求項１２記載の表示装置用バックライトアセンブリ。
【請求項１４】
前記光源部、前記光調節手段及び電磁波遮蔽手段を収納する収納部をさらに含むことを特徴とする請求項１記載の表示装置用バックライトアセンブリ。
【請求項１５】
第１基板、前記第１基板と結合して密閉空間を形成する第２基板、及び前記密閉空間に注入された液晶を備え、外部から供給される画像信号に沿って画像を形成するディスプレーパネルと、
光を発生する光源部、及び前記光源部で発生された光を調節するための光調節部を備えて前記ディスプレーパネルに光を供給するバックライトアセンブリと、
前記光源部の駆動により発生された電磁波を遮断して前記ディスプレーパネルに対する影響を防止するための電磁波遮蔽手段と、を含むことを特徴とする液晶表示装置。
【請求項１６】
前記光調節手段は前記光源部の上方に位置して前記光源部で発生された光を拡散するための拡散手段と、
前記拡散手段の上方に位置して前記拡散手段に拡散された光の輝度を向上するための複数の光学シートを含むことを特徴とする請求項１５記載の液晶表示装置。
【請求項１７】
前記電磁波遮蔽手段は前記拡散手段の表面にメッシュ形状で形成された導電性物質であることを特徴とする請求項１６記載の液晶表示装置。
【請求項１８】
前記電磁波遮蔽手段は第１方向に形成された複数の第１遮蔽ライン及び前記第１方向とは相異する方向により形成され、前記第１遮蔽ラインと交差する複数の第２遮蔽ラインを含むことを特徴とする請求項１７記載の液晶表示装置。
【請求項１９】
前記複数の第１遮蔽ラインは幅と前記幅を測定した遮蔽ラインと隣接する遮蔽ライン間の垂直距離の比率が１：７乃至１：２０であることを特徴とする請求項１８記載の液晶表示装置。
【請求項２０】
前記複数の第２遮蔽ラインは幅と前記幅を測定した遮蔽ラインと隣接する遮蔽ライン間の垂直距離の比率が１：７乃至１：２０であることを特徴とする請求項１９記載の液晶表示装置。
【請求項２１】
前記第１遮蔽ライン及び第２遮蔽ラインは互いに直交することを特徴とする請求項１８記載の液晶表示装置。
【請求項２２】
前記導電性物質は銅、クロム、モリブデンタングステン、クロムオキシド、インジウムすず酸化物（ＩＴＯ）及びインジウム亜鉛酸化物（ＩＺＯ）のうちいずれか一つを含むことを特徴とする請求項１７記載の液晶表示装置。
【請求項２３】
前記電磁波遮蔽手段は前記拡散手段の表面に形成された溝に挿入された導電性物質であることを特徴とする請求項１６記載の液晶表示装置。
【請求項２４】
前記光調節手段は前記拡散手段と前記複数の光学シート間に位置して前記拡散手段によって拡散された光を再度拡散するための補助拡散手段をさらに含むことを特徴とする請求項１６記載の液晶表示装置。
【請求項２５】
前記電磁波遮蔽手段は前記補助拡散手段の表面に形成された導電性物質であることを特徴とする請求項２４記載の液晶表示装置。
【請求項２６】
前記ディスプレーパネルと前記バックライトアセンブリを収容するための収納部をさらに含み、前記収納部は導電性材質の複数の側壁を備え、前記電磁波遮蔽手段は前記収納部の複数の側壁のうち一つと電気的に接触して接地されることを特徴とする請求項１５記載の液晶表示装置。
【請求項２７】
前記収納部と前記電磁波遮蔽手段を電気的に連結するための連結手段をさらに含み、前記連結手段は導電性物質を含むことを特徴とする請求項２６記載の液晶表示装置。
【請求項２８】
前記連結手段は固定手段により前記収納部に固定され、前記固定手段は導電性物質を含むことを特徴とする請求項２７記載の液晶表示装置。
【発明の詳細な説明】
【技術分野】
【０００１】
本発明は液晶表示装置に関するものであり、より詳細には、光源の駆動時に発生する電磁波のディスプレーパネルに対する影響を遮断するための電磁波遮蔽手段を備えるバックライトアセンブリ及びこれを備える液晶表示装置に関するものである。
【背景技術】
【０００２】
最近、情報処理装置の技術開発と共に情報処理装置で処理されたデータを使用者が認識できるように、インターフェース機能を有するディスプレー装置の開発も共に行われている。
【０００３】
ディスプレー装置として、軽量、小型でありながら、フル−カラー、高解像度化などの機能を有する液晶表示装置が広く使われている。具体的に、液晶表示装置は液晶セルの光学的性質の変化を視覚変化に変換するディスプレー装置である。このような液晶表示装置は、自ら発光できない受光素子である液晶を利用して映像をディスプレーするので、光を必要とする。従って、液晶表示装置は液晶パネルの後面に取付けられたバックライトアセンブリから光の供給を受けて画像を表示する。
【０００４】
前記バックライトアセンブリは光を発生する光源の位置により直下型とエッジ型に区分される。エッジ型バックライトアセンブリは像を表示するディスプレーパネルの側面にランプを設けて、ランプで発生された光が導光部を経て前記ディスプレーパネルに供給される構造として、主にラップトップ型及びデスクトップ型コンピューターのように、比較的大きさが小さい液晶表示装置に適用される。エッジ型バックライトアセンブリは光の均一性が優れて、耐久寿命が長く、液晶表示装置の薄形化に有利であるという長所を有している。
【０００５】
一方、直下型バックライトアセンブリはディスプレーパネルの下部にランプを設けて、ランプで発生された光が導光部を経由しないで、直接ディスプレーパネルに供給される構造で、大型液晶表示装置に主に適用される。従って、直下型バックライトアセンブリは一般にディスプレーパネルの下部に一列に配列される複数のランプが配置されてディスプレーパネルの全面積に光を照射する。従って、直下型バックライトアセンブリはエッジ型バックライトアセンブリに比べて複数個の光源を利用することができて、高い輝度を確保することができるという長所がある。
【０００６】
しかし、前述したような液晶表示装置はバックライトアセンブリに関し次のような問題点がある。
【０００７】
一般に、像を表示するディスプレーパネルは薄膜トランジスター基板（以下、ＴＦＴ基板と称する）と、カラーフィルタ基板と、それらの間に含まれた液晶により構成される。ＴＦＴ基板のソース部およびゲート部を経て前記ＴＦＴ基板のトランジスターに画像信号が印加されると、画像信号の電圧により前記液晶の配列が変化して前記バックライトアセンブリから供給される光線の透過量を調節して像を表示する。従って、ディスプレーパネルに印加される電圧は前記液晶の状態変化をを惹起することができればよいので、数ボルト乃至数十ボルト程度の大きさを有する。しかし、前記バックライトアセンブリは蛍光ランプを動作させて光を発生させなければならないので、数百乃至数千ボルトの電圧が印加される。特に、直下型バックライトアセンブリの場合には同時に複数のランプを動作させなければならないので、バックライトアセンブリにはディスプレーパネルと比較して数百乃至数千倍の大きい電圧が印加される。
【０００８】
電場の強さは印加される電圧の大きさに比例するので、前記ディスプレーパネルの下部にはディスプレーパネルに形成される電場より数百乃至数千倍の大きさを有する電場が形成される。従って、印加される画像信号を含む前記ディスプレーパネルの電気的特性は、前記ランプ駆動時に形成される電磁波の影響により攪乱される。画像信号が攪乱されると、液晶望まれない電圧が印加されて液晶パネルに意図しない画像が表示される。前記電磁波はランプに印加される電圧により形成される電場やランプの放電過程で発生する電磁気的特性の変化などにより発生し得る。即ち、ランプの駆動によって惹起される電磁波の干渉によりディスプレーパネルの電磁気的特性が変化することで、表示不良が惹起される。
【０００９】
従って、液晶表示装置は電磁波の干渉により表示品質が低下し、特に、ディスプレーパネルの下部で複数のランプを使用する直下型液晶表示装置の場合にはノイズによる表示品質の低下はさらに著しい。
【発明の開示】
【発明が解決しようとする課題】
【００１０】
本発明の目的は、光源の駆動時に発生する電磁波の影響を遮断することができる表示装置用バックライトアセンブリ及びこれを備える液晶表示装置を提供することにある。
【課題を解決するための手段】
【００１１】
上述した目的を達成するための本発明による表示装置用バックライトアセンブリは、光を発生する光源部と、前記光源部から出射される光の光学的特性を調節するための光調節手段と、前記光源部の駆動により発生された電磁波を遮断して画像を形成する画像表示部に対する影響を防止するための電磁波遮蔽手段とを含む。前記光調節手段は前記光源部の上方に位置して前記光源部で発生された光を拡散するための拡散手段及び前記拡散手段により拡散された光の輝度を向上するための複数の光学シートを含む。ここで、電磁波遮蔽手段は拡散手段の表面に第１方向にコーティングされた第１遮蔽ライン及び第１遮蔽ラインと相異する方向にコーティングされ、第１遮蔽ラインと交差する複数の第２遮蔽ラインを含む。複数の第１及び第２遮蔽ラインは幅と前記幅を測定した遮蔽ラインと隣接する遮蔽ライン間の垂直距離の比率が１：７乃至１：２０になるように形成する。一実施例として、第１及び第２遮蔽ラインは互いに直交するように形成する。前記電磁波遮蔽手段は、銅、クロム、モリブデンタングステン、クロムオキシド、インジウムすず酸化物（ＩＴＯ）及びインジウム亜鉛酸化物（ＩＺＯ）のうちいずれか一つを含む。電磁波遮蔽手段は拡散手段の表面に形成された溝に形成されることもできる。
【００１２】
上述した目的を達成するための本発明による液晶表示装置は、画像を形成するディスプレーパネル、ディスプレーパネルに光を供給するためのバックライトアセンブリ及び電磁波を遮断するための電磁波遮蔽手段を備える。前記ディスプレーパネルは、第１基板、第１基板と結合して密閉空間を形成する第２基板、前記密閉空間に注入された液晶を備え、外部から供給される画像信号によって画像を形成する。前記バックライトアセンブリは、光を発生する光源部、前記光源部で発生された光を調節するための光調節部を備えて前記ディスプレーパネルに光を供給する。前記電磁波遮蔽手段は、前記光源部の駆動により発生された電磁波を遮断して前記ディスプレーパネルに対する影響を防止する。前記光調節手段は前記光源部で発生された光を拡散するための拡散手段と、前記拡散手段に拡散された光の輝度を向上するための複数の光学シートを含む。ここで、電磁波遮蔽手段は拡散手段の表面に第１方向にコーティングされた第１遮蔽ライン及び第１遮蔽ラインと相異する方向にコーティングされ、第１遮蔽ラインと交差する複数の第２遮蔽ラインを含む。一実施例として、複数の第１及び第２遮蔽ラインは幅と前記幅を測定した遮蔽ラインと隣接する遮蔽ライン間の垂直距離の比率が１：７乃至１：２０になるように形成し、第１及び第２遮蔽ラインは互いに直交するように形成する。液晶表示装置は導電性材質の複数の側壁を備え、ディスプレーパネルとバックライトアセンブリを収容するための収納部をさらに含み、電磁波遮蔽手段は収納部の側壁のうちいずれか一つに連結されて接地される。
【００１３】
本発明によると、光源部と光源部の上方に位置するディスプレーパネル間に導電性物質を含む電磁波遮蔽手段を形成することにより、光源部の駆動により誘発される電磁波の影響を減少させることができる。
【発明を実施するための最良の形態】
【００１４】
以下、図面を参照して本発明の望ましい一実施例をより詳細に説明する。
【００１５】
図１は本発明の一実施例による電磁波遮蔽手段を備える表示装置用バックライトアセンブリを示す分解斜視図である。
【００１６】
図１に示すように、本発明の一実施例による表示装置用バックライトアセンブリ１０は光を発生する光源部１２、前記光源部から発生する光の光学的特性を調節するための光調節手段１４、光源部１２の駆動により発生された電磁波を遮蔽するための電磁波遮蔽手段１６を含む。
【００１７】
前記光源部１２は光を発生する一つ以上のランプ、前記ランプの両端部に設けられたランプホルダー及び前記ランプに電力を供給するための一対の電極線を備える。外部電源から電極線を通じて電力が供給されると、ランプで光が発生する。ここで、ランプ駆動のために供給される電圧に起因して電磁波が放出される。
【００１８】
前記光調節部１４は光源部１２から提供される光を拡散するための拡散板１４ａと拡散シート１４ｂ、拡散された光を集光するための第１プリズムシート１４ｃと第２プリズムシート１４ｄ、第１プリズムシート１４ｃ及び第２プリズムシート１４ｄを保護するための保護シート１４ｅを含む。
【００１９】
前記拡散板１４ａは光源部１２の上部に定着される各種光学シートを支持するために剛的な材料からなり、光源部１２から提供される光を拡散させて拡散シート１４ｂに提供する。拡散シート１４ｂは拡散板１４ａ上部に定着され拡散板１４ａに拡散された光を再度拡散させる。
【００２０】
前記第１プリズムシート１４ｃと第２プリズムシート１４ｄは拡散シート１４ｂから出射された光を集光させて像を表示する画像表示部ＬＣＰに入射する光の正面輝度を向上させる。拡散シート１４ｂを通過した光は大きな視野角を有するために、プリズムを利用して視野角を狭くすることにより、正面輝度を高くして、消費電力を減少させることができる。保護シート１４ｅは第２プリズムシート１４ｄの上部に配置され、異物などが第２プリズムシート１４ｄに付着することを防止する。
【００２１】
前記電磁波遮蔽手段１６は一実施例として、前記拡散板１４ａの前面に形成され光源部１２の駆動により発生された電磁波を遮断して画像を形成する画像表示部ＬＣＰに対する影響を防止する。電磁波遮蔽手段１６は一実施例として導電性物質で形成される第１遮蔽ラインと第２遮蔽ラインが互いに交差するメッシュ構造を有する。一実施例として、導電性物質は銅、クロム、モリブデンタングステン、クロムオキシド、インジウムすず酸化物（ＩＴＯ）及びインジウム亜鉛酸化物（ＩＺＯ）のうちいずれか一つを含む。導電性物質は特定の波長を有する電磁波のみ透過させる。従って、ランプで発生した光は導電性物質を透過し、ランプの駆動電圧により発生された電磁波は遮断される。
【００２２】
望ましくは、表示装置用バックライトアセンブリ１０は光源部１２、光調節手段１４及び電磁波遮蔽手段を収納する収納部をさらに含む。収納部１９は基底面と、基底面のエッジから突出形成された側壁とから成る、上部面が開口された直六面体のボックス形態で形成された収納空間を有する。収納空間の内部面に沿って光の効率を高めるために光源部１２から出射された光を反射させる反射プレート１８が配置され、反射プレート１８の上部に光源部１２が設けられる。前記光調節手段１４は光源部１２の上部に一定間隔で離隔され位置する。
【００２３】
前記ランプが液晶パネルの一側面または両側面に位置する場合には、前記ランプで発生した光を光調節部に案内するための導光板をさらに含む。前記のようなエッジ型バックライトであっても本発明による電磁波遮蔽手段は同様の機能を発揮することができる。
【００２４】
図２は図１に示した電磁波遮蔽手段を備える拡散板の一実施例を示す斜視図であり、図３は図２に示した拡散板をＡ−Ａラインに沿って切断した断面図である。
【００２５】
図２及び図３に示すように、電磁波遮蔽手段１６は拡散板１４ａの表面で第１方向に沿ってコーティングされた複数の第１遮蔽ライン１６ａ及び第１方向とは相異する第２方向に形成され、前記第１遮蔽ライン１６ａと交差する複数の第２遮蔽ライン１６ｂを含む。第１遮蔽ライン１６ａは第１幅Ｗａ及び第１垂直距離Ｄａを有するようにコーティングされ、第２遮蔽ラインは第２幅Ｗｂ及び第２垂直距離Ｄｂを有するようにコーティングされる。ここで、第１幅Ｗａに対する第１垂直距離Ｄａの比率により第１遮蔽ライン１６ａの間隔が決定される。同様に、第２遮蔽ライン１６ｂの間隔は第２幅Ｗａ及び第２垂直距離Ｄｂの比率により決定される。拡散板の下部で形成された電磁波は第１及び第２遮蔽ラインにより遮断され、第１及び第２遮蔽ラインにより形成される透過領域でのみ、拡散板を透過することができる。従って、電磁波の透過程度を考慮して遮蔽ラインの幅を決定する。ここで、第１幅Ｗａに対する第１垂直距離Ｄａの比率は１：７乃至１：２０の範囲で形成する。同様に、第２幅Ｗａに対する第２垂直距離Ｄｂの比率も１：７乃至１：２０の範囲で形成する。第１遮蔽ラインと第２遮蔽ラインの幅は互いに独立的に形成されるので、電磁波遮蔽手段１６は多様な大きさの透過領域を有することができる。一実施例として、第１遮蔽ライン及び第２遮蔽ラインが同一である幅を有しながら、互いに垂直に交差するように形成することで正四角形形状の透過領域を有する電磁波遮蔽手段１６を形成することができる。ここで、第１及び第２垂直距離Ｄａ、Ｄｂは少なくとも数百μｍ以上で形成する。また、電磁波遮蔽手段１６は一実施例として、１０ｋΩ／ｍ2以下の表面抵抗を有するように形成する。
【００２６】
電磁波遮蔽手段１６は拡散板１４ａの前面に上述したような導電性物質を所定の厚さでコーティングした後、マスク（図示せず）を利用してエッチング処理することにより、メッシュ構造を有するように形成することができる。ここで、図４に示したように、外部異物から電磁波遮蔽手段１６を保護するための遮蔽ライン保護膜１６ｃをさらに形成することができる。遮蔽ライン保護膜１６ｃは拡散板１４ａの全面にわたって所定の厚さを有するようにコーティングされる。一実施例として、遮蔽ライン保護膜１６ｃは無色透明な有機物質膜で形成する。
【００２７】
一方、拡散板１４ａに形成される電磁波遮蔽手段１６の密度は光源部で発生される電磁波の強度によって相異するように形成されることができる。
【００２８】
一般に、光源部を形成するランプの電極は高電圧が印加されるホット電極部と前記ホット電極部より相対的に低い電圧が印加されるコールド電極部で形成される。従って、コールド電極部よりはホット電極部でさらに強い電磁波が発生する。従って、前記電磁波遮蔽手段１６もホット電極部に対応する拡散版の領域で密に形成され、前記コールド電極部に対応する拡散板の領域で粗に形成されることができる。一実施例として、ホット電極部に対応する拡散板の領域のみに電磁波遮蔽手段を形成することができる。他の実施例として、前記電磁波遮蔽ラインの厚さをコールド電極部からホット電極部に行くほど徐々に厚く形成することで密度を高くすることができる。
【００２９】
図５は図１に示した電磁波遮蔽手段を備える拡散板の他の実施例を示す斜視図であり、図６は図５に示した拡散板をＢ−Ｂラインに沿って切断した断面図である。
【００３０】
図５及び図６に示すように、電磁波遮蔽手段１６は拡散板１４ａの表面で第１方向に沿って形成された複数の第１遮蔽ライン１６ａ及び第１方向とは相異する方向で形成され、第１遮蔽ライン１６ａと交差する複数の第２遮蔽ライン１６ｂを含む。前記第１遮蔽ライン１６ａは第３幅Ｗｃ及び第３垂直距離Ｄｃを有するように拡散板１４ａに形成された第１溝１４１ａの内部に上述したような導電性物質を埋めることによって形成され、前記第２遮蔽ラインは第４幅Ｗｄ及び第４垂直距離Ｄｄを有するように拡散板１４ａに形成された第２溝１４２ａの内部に上述したような導電性物質を埋めることによって形成される。ここで、第１及び第２溝１４１ａ、１４２ａの幅と垂直距離の比率は上述したことのように、電磁波の透過率を考慮して決定し、望ましくは１：７乃至１：２０の範囲で形成する。図面では、第１及び第２溝１４１ａ、１４２ａに埋められる導電性物質の厚さは溝の深さより低く示しているが、溝の深さと同一であったり、または高い場合にも電磁波遮蔽手段としての機能には差異がない。また、図７に示したように、外部異物から電磁波遮蔽手段１６を保護するための遮蔽ライン保護膜１６ｃをさらに形成することができる。前記遮蔽ライン保護膜１６ｃは拡散板１４ａの全面にわたって所定の厚さを有するようにコーティングされる。一実施例として、遮蔽ライン保護膜１６ｃは無色透明な有機物質膜で形成する。
【００３１】
以上で前述したように、電磁波遮蔽手段は拡散板の前面に形成されたが、ランプと対向する背面に形成されるとしても同様の効果を得ることができる。また、前記拡散板の上部に定着される拡散シート１４ｂの前面または背面にメッシュ構造を有するように導電性粒子を分散させることによって同様の効果を有する電磁波遮蔽手段を形成することができる。
【００３２】
本実施例による表示装置用バックライトアセンブリは透過型ディスプレーパネルだけでなく、反射−透過型ディスプレーパネルにも同様に適用することができる。透過型ディスプレーパネルは一つの画素全体が透過領域になって下部のバックライトからの光が提供されるが、反射−透過型ディスプレーパネルは一つの画素を反射領域と透過領域に区分し、前記反射領域は自然光利用のものは自然光を反射してディスプレーし、透過領域は下部のバックライトから光の提供を受けてディスプレーする。
【００３３】
上述したような構成を有するバックライト１０を駆動するために、外部電源から前記光源部１２に電力が供給されると、ランプの駆動電圧によりランプを中心に電磁波が発生する。ここで、発生された電磁波は電磁波遮蔽手段１６の導電性物質に吸収されて遮断される。従って、画像が形成される画像表示部に対する影響が遮断されることにより、表示装置の表示品質が向上され、消費電力を減少させることができるという長所がある。
【００３４】
図８は本発明の一実施例による電磁波遮蔽手段を備える液晶表示装置を示す分解斜視図であり、図９は図８に示した液晶表示装置をＣ−Ｃラインに沿って切断した断面図である。
【００３５】
図８及び図９に示すように、本発明の一実施例による液晶表示装置２００は画像を表示するディスプレーパネルアセンブリ２１０、ディスプレーパネルアセンブリ２１０に光を提供するバックライトアセンブリ２２０、ディスプレーパネル及びバックライトアセンブリを収納するための収納部を備える。
【００３６】
前記ディスプレーパネルアセンブリ２１０は印加された画像信号により画像を具現する液晶ディスプレーパネル２１１と液晶ディスプレーパネル２１１に画像信号を提供するためのデータ印刷回路基板２１５、ゲート印刷回路基板２１４、データ側テープキャリアパッケージ（以下；ＴＣＰと称する）２１３及びゲート側ＴＣＰ２１２を含む。液晶ディスプレーパネル２１１は複数のＴＦＴスイッチング素子が配列されたＴＦＴ基板２１１ａ、ＴＦＴ基板２１１ａに対向するカラーフィルタ基板２１１ｂ及びＴＦＴ基板２１１ａとカラーフィルタ基板２１１ｂとの間に注入された液晶（図示せず）を含む。ＴＦＴ基板２１１ａの背面には液晶ディスプレーパネル２１１に入射する光の輝度を向上するための第１偏光板２１１ｃが位置し、カラーフィルタ基板２１１ｂの上部面にはディスプレーパネルから出射する光の輝度を向上するための第２偏光板２１１ｄが位置する。
【００３７】
前記バックライトアセンブリ２２０は光を発生する光源部２２１、前記光源部の上部に備えられて光の輝度を調節するための光調節部２２２、光源部２２１の下方向に進行する光を前記ディスプレーパネルアセンブリ２１０方向に反射させるための反射プレート２２３、モールドフレーム２２４及びボトムシャーシ２２５を含む。
【００３８】
前記光源部２２１は光を発生する複数のランプ２２１ａ、ランプ２２１ａの互いに対向する第１端部及び第２端部各々に設けられたランプホルダー２２１ｂ、第１端部から引き出された第１電極線２２１ｃ、第２端部から引き出された第２電極線２２１ｄを含む。第１及び第２電極線２２１ｃ、２２１ｄを通じて電圧が印加されると、ランプ２２１ａで光が発生する。ここで、前記ランプ２２１ａの駆動のために供給される電圧に起因して電磁波が放出される。
【００３９】
前記第１及び第２電極線２２１ｃ、２２１ｄを電源供給装置（図示せず）に連結するために、第１及び第２電極線２２１ｃ、２２１ｄのうちいずれか一つを残りの電極線が位置する側まで延ばす。一実施例として、第１電極線２２１ｃに印加される電源電圧より相対的に低い電源電圧が印加される第２電極線２２１ｄを第１電極線２２１ｃが引き出された側まで延ばす構造を採択する。ここで、長く延びた第２電極線２２１ｄは一実施例として反射プレート２２３の背面に配置される。反射プレート２２３とボトムシャーシ２２５の間には第２電極線２２１ｄを収納するための収納空間が形成される。
【００４０】
一実施例として、光調節部２２２は光源部２２１から提供される光を拡散するための拡散板２２２ａと拡散シート２２２ｂ、拡散された光を集光するための第１プリズムシート２２２ｃと第２プリズムシート２２２ｄ、プリズムシートを保護するための保護シート２２２ｅ及び光源部で発生した電磁波を遮断するための電磁波遮蔽手段２２２ｆを含む。
【００４１】
拡散板２２２ａは光源部２２１の上部に定着される各種光学シートを支持するために剛的な材料からなり、光源部２２１から提供される光を拡散させて拡散シート２２２ｂに提供する。拡散シート２２２ｂは拡散板２２２ａ上部に定着され拡散板２２２ａに拡散された光を再度拡散させる。
【００４２】
前記電磁波遮蔽手段２２２ｆは一実施例として、拡散板２２２ａの背面にメッシュ形状でコーティングされる導電性物質で形成される。即ち、電磁波遮蔽手段２２２ｆは第１方向に形成される複数の第１遮蔽ライン及び第１方向とは相異する第２方向に形成され、第１遮蔽ラインと交差する複数の第２遮蔽ラインで形成される。ここで、第１及び第２遮蔽ラインは遮蔽ラインの幅と、前記幅を測定した遮蔽ラインと隣接する遮蔽ライン間の垂直距離の比率が１：７乃至１：２０を有するように形成する。一実施例として、第１遮蔽ライン及び第２遮蔽ラインは拡散板２２２ａの幅及び長さ方向に沿って互いに直交するように形成される。電磁波遮蔽手段２２２ｆを形成する導電性物質は銅、クロム、モリブデンタングステン、クロムオキシド、インジウムすず酸化物（ＩＴＯ）及びインジウム亜鉛酸化物（ＩＺＯ）のうちいずれか一つを含む。望ましくは、電磁波遮蔽手段の表面に異物が固着されることを防止するための遮蔽手段保護膜２２２ｇを形成する。一実施例として、遮蔽手段保護膜２２２ｇは透明有機物質で形成する。
【００４３】
図８及び図９では、拡散プレートの背面に別途の電磁波遮蔽手段が形成されることを示したが、拡散プレートの上部面に前述した電磁波遮蔽手段を別途に形成することもでき、前述した電磁波遮蔽手段を別途に形成せずに、拡散板を形成する時に導電性粒子をメッシュ構造に分散させる方式を通じて添加しても電磁波遮蔽手段を具現することができる。また、電磁波遮蔽手段は拡散シート２２２ｂの前面や背面に形成することができ、前記拡散シートの形成時に導電性粒子を分散させることによって前記拡散シートと一体で形成することもできる。
【００４４】
前記第１プリズムシート２２２ｃと第２プリズムシート２２２ｄは拡散シート２２２ｂから出射された光を集光させて前記液晶ディスプレーパネル２１１に入射する光の輝度を向上させる。拡散シート２２２ｂを通過した光は大きな視野角を有するために、プリズムを利用して視野角を狭くすることによって正面輝度を高くして、消費電力を減少させることができる。保護シート２２２ｅは第２プリズムシート２２２ｄの上部に配置され、異物などが第２プリズムシート２２２ｄに定着されることを遮断する。
【００４５】
収納部は一実施例として、バックライトアセンブリ２２０を収納するためのボトムシャーシ２２５とモールドフレーム２２４及び前記モールドフレーム２２４の上部面に位置し、前記ディスプレーパネルアセンブリ２１０を収納するためのミドルシャーシ２３０を備える。
【００４６】
一実施例として、ボトムシャーシ２２５は導電性のメタル材質からなり、基底面と基底面のエッジから突出された側壁で形成された収納空間を備え、前記収納空間の内部にモールドフレーム２２４が収納される。モールドフレーム２２４は複数の側壁により限定される開口された直六面体の形状で形成され、前記モールドフレームの側壁の上部には直六面体の内側方向に第１端縁棚部２２４ａが形成される。第１端縁棚部２２４ａ下部の収納空間には光源部２２１と反射プレート２２３が収納され、前記光調節部２２２は第１端縁棚部２２４ａの上面で支持され収納される。前記ミドルシャーシ２３０はモールドフレーム２２４により支持される。
【００４７】
一実施例として、ミドルシャーシ２３０はモールドフレーム２２４の形状と対応して開口された直六面体形状で形成され、直六面体の内側方向で形成された第２端縁棚部２３０ａを備える。従って、ミドルシャーシ２３０は光調節部２２２がボトムシャーシ２２５の上部方向に離脱されることを防止し、第２端縁棚部２３０ａの上部面に液晶ディスプレーパネル２１１を支持する。従って、前記液晶ディスプレーパネル２１１は光調節部２２２の上部に定着される。
【００４８】
トップシャーシ２４０は導電性のメタル材質で形成され、ボトムシャーシの外周面と結合されてミドルシャーシ２３０に定着されたディスプレーパネルアセンブリ２１０を固定する。
【００４９】
従って、本発明の一実施例による液晶表示装置２００はバックライトアセンブリ２２０及びディスプレーパネルアセンブリ２１０が収納されたモールドフレーム２２４及びミドルシャーシ２３０をボトムシャーシ及びトップシャーシにより固定することにより完成される。
【００５０】
上述したような液晶表示装置によると、外部電源（図示せず）から前記ランプ２２１ａに高電圧の電力が印加されると、前記ランプで光が発生し、光は光調節部２２２を経てディスプレーパネルアセンブリ２１０に入射する。入射された光は映像信号により制御された液晶の状態により液晶層を通過する透過量が制御されることによって液晶ディスプレーパネルの上部に所定の映像が具現される。ここで、ランプの駆動により発生した電磁波は電磁波遮蔽手段により遮断されることにより、ディスプレーパネルアセンブリに電磁気的に影響を及ぼすことを遮断することができる。これにより、液晶表示装置の表示品質を向上することができる。
【００５１】
本実施例によると、光源部が液晶ディスプレーパネルの下部に位置する直下型液晶表示装置に形成された電磁波遮蔽手段が開示されているが、光源部が液晶ディスプレーパネルの側部に位置するエッジ型液晶表示装置に本発明の一実施例による電磁波遮蔽手段が用いられてもランプ駆動に起因する電磁波を有効に遮断することができる。
【００５２】
一方、前記電磁波を吸収することにより、電磁波遮蔽手段に集積される電荷は電磁波遮蔽手段を接地させることにより、外部に排出されて電磁波遮蔽手段は電気的に安定化される。電磁波遮蔽手段は収納部と電気的に接触することによって接地される。電気的接触は直接接触だけでなく、接地手段を媒介した接触も含む。
【００５３】
図１０は図８に示した電磁波遮蔽手段と接地手段の結合関係を示す概念図である。
【００５４】
図８に示すように、端縁棚２２４ａを備える前記モールドフレーム２２４は光調節部２２２を支持するための第１上部面２２４１及び前記ミドルシャーシ２３０を支持するための第２上部面２２４２を含む。モールドフレーム２２４の一部には電磁波遮蔽手段に集積された電荷を排出するための接地手段として所定の厚さ（ｔｍ）と幅（ｗｍ）を有する導電性テープ２３５が第１上部面２２４１及び第２上部面２２４２に連続的にわたって位置する。導電性テープ２３５は第２上部面の外側角で折り曲げられてモールドフレーム２２４の外側壁に沿って延びる。
【００５５】
ここで、遮蔽手段保護膜２２２ｇは導電性テープ２３５の幅（ｗｍ）に対応する長さ（ｌｐ）ほど開口された開口部２２２１ｇを備える。従って、第１上部面２２４１に光調節部２２２が位置する場合、開口部２２２１ｇ内部に位置する電磁波遮蔽手段２２２ｆは導電性テープ２３５と直接的に接触して電荷の移動経路を形成する。従って、電磁波遮蔽手段に集積された電荷は前記導電性テープ２３５を経て排出される。
【００５６】
図１１は図１０に示した接地手段を備える液晶表示装置の一部を示す断面図である。
【００５７】
図１１に示すように、電磁波遮蔽手段２２２ｆは前記モールドフレーム２２４の第１上部面２２４１で導電性テープ２３５と接触する。導電性テープ２３５は第２上部面２２４２で前記ミドルシャーシ２３０の下部面と接触し、前記モールドフレーム２２４の外側壁に沿って延びてボトムシャーシ２２５の内側壁と接触する。従って、電磁波遮蔽手段２２２ｆに含まれた電子は前記導電性テープ２３５を経て終局的にボトムシャーシ２２５に排出される。
【００５８】
本実施例の場合、導電性テープはミドルシャーシの下部面と接触することによって、前記収納部に対する固定力を強化しているが、前記ミドルシャーシを備えていない場合には、別途の固定手段をさらに備えることができる。
【００５９】
図１２は固定用クリップを備える接地手段を備える液晶表示装置の一部を示す断面図であり、図１４は導電性クリップと導電性スクリューを含む接地手段を備える液晶表示装置の一部を示す断面図である。図１２及び図１４に示した液晶表示装置はモールドフレームの端縁棚部で光調節手段及び液晶ディスプレーパネルを支持している。
【００６０】
図１２に示すように、モールドフレームの複数の側壁により画定される収納空間に光を生成する光源部３２１、前記光源部で出射された光を反射するための反射板３２３、光源部で出射した光の輝度を調節するための光調節手段３２２及び画像を形成する液晶ディスプレーパネル３１１が順次に収納される。
【００６１】
液晶ディスプレーパネル３１１はＴＦＴ基板３１１ａ、カラーフィルタ基板３１１ｂ、ＴＦＴ基板３１１ａとカラーフィルタ基板３１１ｂ間に充填された液晶層（図示せず）、ＴＦＴ基板３１１ａの背面に形成された第１偏光板３１１ｃ及びカラーフィルタ基板３１１ｂの上部に形成された第２偏光板３１１ｄを含む。
【００６２】
前記光調節部材３２２は光源部３２１で出射された光を拡散するための拡散板３２２ａ及び拡散シート３２２ｂ、拡散シート３２２ｂの上部に順次に定着される複数のプリズムシート３２２ｃ、３２２ｄ、前記プリズムシートを保護するための保護シート３２２ｅを含む。一実施例として、拡散板３２２ａの背面には光源部で発生した電磁波を遮断して液晶ディスプレーパネル３１１に対する影響を防止するための電磁波遮蔽手段３２２ｆがメッシュ形成で形成されており、電磁波遮蔽手段３２２ｆを保護するための遮蔽手段保護膜３２２ｇが拡散板３２２ａの背面に形成されている。電磁波遮蔽手段３２２ｆは導電性テープ３３５と直接接触することによって接地される。即ち、遮蔽手段保護膜３２２ｇは部分的に除去されて導電性テープ３３５と電磁波遮蔽手段３２２ｆは直接接触することによって電荷の移動経路を形成する。従って、電磁波遮蔽手段３２２ｆに集積された電荷は前記導電性テープにより液晶表示装置のシャーシに配置されることによって電気的に安定化される。
【００６３】
導電性テープ３３５を固定するための固定用クリップ３６０がモールドフレーム３２５に設けられる。固定用クリップ３６０は弾力性と導電性が優れた弾性導電性物質で形成され、電荷の移動を円滑にすることができるだけでなく、それ自体弾性により外力に対応する復元力も優れている。図１３に示すように、前記固定用クリップ３６０は固定力を加える第１及び第２翼部分３６２、３６３と固定力を強化するための側部溝３６１を備える。
【００６４】
モールドフレーム３２５に前記固定用クリップ３６０が設けられると、第１及び第２翼部分３６２、３６３は外力によって広まった後、モールドフレーム３２５の上部面及び下部面と各々接触する。従って、それ自体の弾性に起因した復元力を前記モールドフレーム３２５の上部面及び下部面に各々加える。従って、導電性テープ３３５は安定的にモールドフレーム３２５に結合され、同時に固定用クリップとも接触することになる。
【００６５】
前記モールドフレームの側面に側部溝３６１に対応する凹部を形成し、側部溝３６１を形成する曲げられた部分と凹部の間に導電性テープを挿入することによって、摩擦力を利用して固定力をさらに強化することができる。
【００６６】
モールドフレーム３２５と対向して導電性のメタル材質からなったトップシャーシ３４０が結合されると、トップシャーシ３４０の側壁の内側面は導電性のメタル材質からなった導電性クリップ３６０の本体部と接した状態を保持する。これによって、導電性テープ３５５は導電性クリップによってトップシャーシ３４０とも電気的に導電された状態を維持する。従って、電磁波遮蔽手段３２２ｇに集積された電荷は導電性テープ３３５を経てモールドフレームだけでなく、トップシャーシ３４０へも排出されることができる。
【００６７】
図１４に示すように、電磁波遮蔽手段４２２ｆを接地させるための導電性テープ４３５は導電性クリップ４６０により固定されるだけでなく、スクリュー４６１によりモールドフレーム４２５にさらに固定されることができる。一実施例として、スクリュー４６１は導電性物質で形成して、スクリュー４６１を通じた電荷の移動も可能であるようにする。
【００６８】
前記スクリュー４６１はトップシャーシ４４０に形成された第１締結穴４４２と導電性クリップ４６０に形成された第２締結穴４６４を貫通してモールドフレーム４２５に形成された締結ねじ穴４２５ａに締結される。従って、導電性テープ４３５は導電性クリップ４６０と導電性スクリュー４６１によりトップシャーシ４４０及びボトムシャーシ４２４に安定的に連結される。これによって、前記電磁波遮蔽手段４２２ｆは安定的に収納部に接地される。
【００６９】
以上、本発明の実施例によると、導電性物質で形成される電磁波遮蔽手段をバックライトアセンブリに形成することによって、光源部から発生される電磁波がディスプレーパネルアセンブリに及ぼす影響を遮断することができる。また、多様な接地手段を通じて電磁波遮断手段を液晶表示装置のシャーシに接地させることによって電磁波遮断手段を電気的に安定化させることができる。
【００７０】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【図面の簡単な説明】
【００７１】
【図１】本発明の一実施例による電磁波遮蔽手段を備える表示装置用バックライトアセンブリを示す分解斜視図である。
【図２】図１に示した電磁波遮蔽手段を備える拡散板の一実施例を示す斜視図である。
【図３】図２に示した拡散板をＡ−Ａラインに沿って切断した断面図である。
【図４】遮蔽ライン保護膜がコーティングされた図３に示した拡散板を示す断面図である。
【図５】図１に示した電磁波遮蔽手段を備える拡散板の他の実施例を示す斜視図である。
【図６】図５に示した拡散板をＢ−Ｂラインに沿って切断した断面図である。
【図７】遮蔽ライン保護膜がコーティングされた図６に示した拡散板を示す断面図である。
【図８】本発明の一実施例により電磁波遮蔽手段を備える液晶表示装置を示す分解斜視図である。
【図９】図８に示した液晶表示装置をＣ−Ｃラインに沿って切断した断面図である。
【図１０】図８に示した液晶表示装置に装着された接地手段と電磁波遮蔽手段の接触を概略的に示す分解斜視図である。
【図１１】図１０に示した接地手段を備える液晶表示装置の一部を示す断面図である。
【図１２】固定用クリップを備える接地手段を備える液晶表示装置の一部を示す断面図である。
【図１３】図１２に示した固定用クリップの一実施例を示す断面図である。
【図１４】導電性クリップと導電性スクリューを含む接地手段を備える液晶表示装置の一部を示す断面図である。
【符号の説明】
【００７２】
１２    光源部
１８    反射プレート
１９    収納部
２１１、３１１    液晶ディスプレーパネル
２１１ｂ、３１１ｂ    カラーフィルタ基板
２１１ａ、３１１ａ    ＴＦＴ基板
２２１    光源部
２２２    光調節部
２２２a    拡散板
２２２ｂ    拡散シート
２２２ｃ    第１プリズムシート
２２２ｄ    第２プリズムシート
２２３    反射プレート
２２５    ボトムシャーシ
２２２ｆ    電磁波遮蔽手段
２２２ｇ    遮蔽手段保護膜
２２５、３２５    モールドフレーム
２３５、３３５、４３５    導電性テープ
３４０    トップシャーシ
３６０    固定用クリップ
３６１    側部溝
４２４    ボトムシャーシ
４４０    トップシャーシ
４６０    導電性クリップ
４６１    スクリュー
【図１】
2004191996.tif 000003
【図２】
2004191996.tif 000004
【図３】
2004191996.tif 000005
【図４】
2004191996.tif 000006
【図５】
2004191996.tif 000007
【図６】
2004191996.tif 000008
【図７】
2004191996.tif 000009
【図８】
2004191996.tif 000010
【図９】
2004191996.tif 000011
【図１０】
2004191996.tif 000012
【図１１】
2004191996.tif 000013
【図１２】
2004191996.tif 000014
【図１３】
2004191996.tif 000015
【図１４】
2004191996.tif 000016